(57)【要約】【課題】主に、簡単に排水方式や雨水排水レベルを切り替えられるようにする。【解決手段】雨水を集める枡本体５に、集めた雨水を、下水管６へ送る下水用流出管７と、雨水浸透・貯留施設８へ送る施設用流出管９と、をそれぞれ異なる接続高さＬ１，Ｌ２で接続した雨水桝４に対して設置可能で、  上記下水用流出管７または施設用流出管９の少なくとも一方の雨水排水レベル２２を変更可能な取込位置変更管２３を設けるようにする。【選択図】図２
2016183545.tif 000002
【特許請求の範囲】
【請求項１】
雨水を集める枡本体に、集めた雨水を、下水管へ送る下水用流出管と、雨水浸透・貯留施設へ送る施設用流出管と、をそれぞれ異なる接続高さで接続した雨水桝に対して設置可能で、
前記下水用流出管または施設用流出管の少なくとも一方の雨水排水レベルを変更可能な取込位置変更管を設けたことを特徴とする雨水桝用排水補助部材。
【請求項２】
請求項１に記載の雨水桝用排水補助部材であって、
前記取込位置変更管が、雨水排水レベルを調整可能な伸縮部または屈伸部を有することを特徴とする雨水桝用排水補助部材。
【請求項３】
請求項１または請求項２に記載の雨水桝用排水補助部材であって、
前記取込位置変更管が、前記下水用流出管または施設用流出管に対して、シール可能な着脱部を有することを特徴とする雨水桝用排水補助部材。
【請求項４】
請求項１ないし請求項３のいずれか１項に記載の雨水桝用排水補助部材であって、
前記取込位置変更管が、雨水取込口の向きを水平にする水平調整可能部を有することを特徴とする雨水桝用排水補助部材。
【請求項５】
請求項１ないし請求項４のいずれか１項に記載の雨水桝用排水補助部材であって、
前記取込位置変更管の位置を保持可能な位置保持具を備えたことを特徴とする雨水桝用排水補助部材。
【請求項６】
雨水を集める枡本体に、集めた雨水を、下水管へ送る下水用流出管と、雨水浸透・貯留施設へ送る施設用流出管と、をそれぞれ異なる接続高さで接続した雨水桝に対して設置可能で、
前記枡本体の内部を、前記下水用流出管側の貯水空間と施設用流出管側の貯水空間とに仕切ると共に、
前記枡本体から前記下水用流出管および施設用流出管への雨水の流出順を変更可能な堰部材を備えたことを特徴とする雨水桝用排水補助部材。
【請求項７】
請求項６に記載の雨水桝用排水補助部材であって、
前記堰部材が、高さ調整可能とされたことを特徴とする雨水桝用排水補助部材。
【請求項８】
請求項６または請求項７に記載の雨水桝用排水補助部材であって、
前記堰部材が、その上部に、枡本体に流入される雨水の前記各貯水空間に対する配分を調整する整流板を有することを特徴とする雨水桝用排水補助部材。
【請求項９】
請求項６ないし請求項８のいずれか１項に記載の雨水桝用排水補助部材であって、
前記堰部材が、自立可能に構成されたことを特徴とする雨水桝用排水補助部材。
【請求項１０】
雨水を集める枡本体に、集めた雨水を、下水管へ送る下水用流出管と、雨水浸透・貯留施設へ送る施設用流出管と、をそれぞれ異なる接続高さで接続した雨水桝に対し、
請求項１ないし請求項９のいずれか１項に記載の雨水桝用排水補助部材を設置したことを特徴とする雨水桝。
【発明の詳細な説明】
【技術分野】
【０００１】
この発明は、雨水桝用排水補助部材および雨水桝に関するものである。
【背景技術】
【０００２】
道路の側部には、側溝などが設けられている。この側溝は、道路の上に降った雨水を集めて雨水桝へ送るためのものである。そして、この雨水桝は、主に、雨水を集める枡本体で構成されており、この枡本体には、集めた雨水を、下水管へ送る下水用流出管と、雨水浸透・貯留施設へ送る施設用流出管と、がそれぞれ異なる接続高さで接続されている（例えば、特許文献１参照）。
【０００３】
そして、上記した雨水桝は、降雨時に枡本体に集められた雨水を、下水用流出管から下水管へ送ったり、施設用流出管から雨水浸透・貯留施設へ送ったりできるようになっている。即ち、雨水の量が枡本体に対する下水用流出管や施設用流出管の接続高さに達した時に、雨水を枡本体から下水管や雨水浸透・貯留施設へ送るようになっている。
【０００４】
この際、枡本体に対する下水用流出管と施設用流出管との接続高さを異ならせるようにしている。これにより、下水用流出管の接続高さを施設用流出管の接続高さよりも低くした場合には、雨水を先に下水管へ排出し、その後、下水管が処理しきれなくなる頃合に、雨水浸透・貯留施設へ排出するようになる（ピークカット方式）。反対に、下水用流出管の接続高さを施設用流出管の接続高さよりも高くした場合には、雨水を先に雨水浸透・貯留施設へ排出し、その後、雨水浸透・貯留施設が処理しきれなくなる頃合に、下水管へ排出するようになる（ベースカット方式）。そして、雨水桝を設置する際には、地域ごとの降雨状況などに応じてどちらかの排水方式を選択することで、雨水浸透・貯留施設を適切に使用できるようにして、下水管の負担が軽減されるように図られている。
【先行技術文献】
【特許文献】
【０００５】
【特許文献１】特開２０１２−０７２６２２号公報
【発明の概要】
【発明が解決しようとする課題】
【０００６】
近年、世界的な環境の変化などによって、設置時とは異なる降雨状況が発生するようなことが起きている。しかし、雨水桝は一旦設置されると、上記した排水方式が固定されてしまうので、後から環境の変化に応じて排水方式を切り替えるようなことはできなかった。
【０００７】
そこで、本発明は、上記した問題点を解決することを、主な目的としている。
【課題を解決するための手段】
【０００８】
上記課題を解決するために、本発明は、
雨水を集める枡本体に、集めた雨水を、下水管へ送る下水用流出管と、雨水浸透・貯留施設へ送る施設用流出管と、をそれぞれ異なる接続高さで接続した雨水桝に対して設置可能で、
前記下水用流出管または施設用流出管の少なくとも一方の雨水排水レベルを変更可能な取込位置変更管を設けたことを特徴としている。
【発明の効果】
【０００９】
本発明によれば、上記構成によって、簡単に排水方式や雨水排水レベルを切り替えることができるようになる。
【図面の簡単な説明】
【００１０】
【図１】実施例１にかかる雨水桝用排水補助部材を説明するための道路周辺の地下の様子を示す断面図である。
【図２】雨水桝用排水補助部材を備えた雨水桝周辺の断面図である。
【図３】図２の雨水桝用排水補助部材の他の使用形態を示す断面図である。
【図４】図２の雨水桝用排水補助部材の拡大断面図である。
【図５】他の雨水桝用排水補助部材を備えた雨水桝周辺の断面図である。
【図６】図５の雨水桝用排水補助部材の他の使用形態を示す断面図である。
【図７】位置保持具の他の例を示す図５と同様の雨水桝周辺の断面図である。
【図８】図７の雨水桝用排水補助部材の他の使用形態を示す断面図である。
【図９】実施例２にかかる雨水桝用排水補助部材を備えた雨水桝周辺の断面図である。
【図１０】図９の雨水桝用排水補助部材の他の使用形態を示す断面図である。
【図１１】図９、図１０の平面図である。
【図１２】雨水桝用排水補助部材の取付角度を変えた状態を示す図９、図１０の平面図である。
【発明を実施するための形態】
【００１１】
以下、本実施の形態を、図面を用いて詳細に説明する。
図１〜図８は、この実施の形態を説明するためのものである。このうち、図１〜図８は実施例１、図９〜図１２は実施例２に関するものである。
【実施例１】
【００１２】
＜構成＞以下、構成について説明する。
図１は、道路１周辺の地下の様子を示す断面図である。この道路１の路面は、実際には中央が高く両端が低くなっており、道路１の両端には、縁石（縁石ブロック２）や側溝（Ｕ字ブロック）などが設置されている。そして、この縁石や側溝の下部の地中に対し、部分的に雨水桝４が埋設されている。そして、道路１の上に降った雨水は、縁石や側溝に沿って雨水桝４へ送られるようになっている。
【００１３】
そして、この雨水桝４は、主に、雨水を集める枡本体５で構成されており、この枡本体５には、集めた雨水を、下水管６へ送る下水用流出管７と、雨水浸透・貯留施設８へ送る施設用流出管９と、がそれぞれ異なる接続高さＬ１，Ｌ２で接続されている。
【００１４】
ここで、下水管６は、道路１の中央などの位置に、道路１に沿って埋設されている。下水管６に集められた雨水は、公共の下水処理施設などへ送られて最終的に処理される。また、雨水浸透・貯留施設８は、道路１の側部などの位置に適宜埋設されるものであり、雨水を一時的に集めて地中へ浸透させたり、雨水を貯留したりするなどの処理を行なうようになっている。この場合には、雨水浸透・貯留施設８を構成する空間の内部に、箱枠状をした充填用ブロック１１を複数個積層配置したものとされている。この充填用ブロック１１は、雨水が滞留しながら流下する経路を作り出すようにしたものであり、この充填用ブロック１１を複数組み合わせることによって、施設内に長い経路を作り出し、この長い経路を用いて雨水をゆっくりと流下させるものとなっている。
【００１５】
なお、雨水浸透・貯留施設８には、上記以外にも各種のものが存在している。また、雨水浸透・貯留施設８は、雨水を一時的に処理できるようにした施設を広く含むことができる。
【００１６】
そして、以上のような基本的または全体的な構成に対し、この実施例の雨水桝用排水補助部材は、以下のようなものとされている。
【００１７】
（１−１）例えば、図２（ベースカット方式）、図３（ピークカット方式）に示すように、雨水を集める枡本体５に対して、集めた雨水を、下水管６へ送る下水用流出管７と、雨水浸透・貯留施設８へ送る施設用流出管９と、をそれぞれ異なる接続高さＬ１，Ｌ２で接続した雨水桝４が設けられている場合に、
この雨水桝４に対して設置可能で、
上記下水用流出管７または施設用流出管９の少なくとも一方の雨水排水レベル２２を変更可能な取込位置変更管２３を設ける。
【００１８】
ここで、図２のものは、下水用流出管７の接続高さＬ１を施設用流出管９の接続高さＬ２よりも高くしている（ベースカット方式）。また、図３のものは、下水用流出管７の接続高さＬ１を施設用流出管９の接続高さＬ２よりも低くしている（ピークカット方式）。取込位置変更管２３は、樹脂製や金属製の管部材などとすることができる。取込位置変更管２３は、枡本体５の内部に常時備えられるものとされる。
【００１９】
（１−２）より具体的には、上記取込位置変更管２３が、雨水排水レベル２２を調整可能な伸縮部３１（図２〜図４参照）または屈伸部３２（図５、図６参照）を有するものとされる。
【００２０】
ここで、伸縮部３１は、例えば、図４に示すように、取込位置変更管２３の途中に設けられる。この場合、取込位置変更管２３は、互いに嵌合量を調整可能に嵌合された２つの管部材（この場合には、上側に位置する直管３５と下側に位置するＬ字型の管エルボ３６とされている）によって構成されている。伸縮部３１は、２つの管部材どうしの嵌合部分（直管３５の下端部と管エルボ３６の上端部との間）に形成されている。この伸縮部３１を構成する２つの管部材の間には、シール部材３７が介在される。この場合、取込位置変更管２３は硬質塩ビや硬質ポリエステルなどを用いた硬質樹脂管とされている。
【００２１】
また、例えば、図５、図６に示すように、取込位置変更管２３を柔軟な可撓管とすることによって、取込位置変更管２３全体を屈伸部３２としても良い。
【００２２】
（１−３）図４に示すように、上記取込位置変更管２３が、上記下水用流出管７または施設用流出管９に対して、シール可能な着脱部４１を有するものとされる。
【００２３】
ここで、着脱部４１は、取込位置変更管２３の端部（下端部）に形成される。着脱部４１は、下水用流出管７や施設用流出管９の内部へ嵌着可能な差口部とされる。着脱部４１は、排水勾配を考慮して、水平よりも若干前下りに傾斜したものとされる。差口部の外周には、必要に応じてシール部材４３が嵌合設置される。
【００２４】
なお、着脱部４１には、下水用流出管７または施設用流出管９の径に応じて、アタッチメントを取付けるようにしても良い。また、このアタッチメントをシール部材４３で構成しても良い。更に、着脱部４１の先端側外周には、下水用流出管７または施設用流出管９に対する嵌合を案内するための先細りの導入用テーパ部４４を形成しても良い。
【００２５】
（１−４）上記取込位置変更管２３が、雨水取込口５１の向きを水平にする水平調整可能部５２を有するものとされる。
【００２６】
ここで、雨水取込口５１は、取込位置変更管２３の上端部とされる。水平調整可能部５２は、雨水取込口５１を水平な方向に向けることができるのであればどのようなものであっても良い。例えば、図２〜図４の場合、取込位置変更管２３が硬質樹脂管とされているので、管エルボ３６の本体部分と着脱部４１との間に水平調整可能部５２として蛇腹状の屈曲可能部５３を設けるようにしている。なお、この蛇腹状の屈曲可能部５３は、着脱部４１のシールとしても使用することが可能である。
【００２７】
また、図５、図６の場合、取込位置変更管２３が柔軟な可撓管とされているので、取込位置変更管２３全体が水平調整可能部５２となっている。なお、図では、雨水取込口５１を水平にしない用い方をしているが、雨水取込口５１の向きを水平にできることは勿論である。
【００２８】
（１−５）上記取込位置変更管２３の位置を保持可能な位置保持具６１を備える。
【００２９】
ここで、例えば、図２、図３の場合、位置保持具６１は、取込位置変更管２３（の管エルボ３６）の下部を下から支える支持具６２とされている。
【００３０】
また、図５、図６の場合、位置保持具６１は、柔軟な取込位置変更管２３の上部（上端部など）を下から支える支持具６３とされている。この場合、支持具６３は、雨水取込口５１の高さ調整が可能なように伸縮可能なものとすることができる（伸縮可能支持具）。例えば、支持具６３は、上下に延びる二つの支持部材６３ａ，６３ｂを互いにネジ止めしたものとされると共に（ネジ止め部６３ｃ）、二つの支持部材６３ａ，６３ｂのネジ止め位置を変えることによって伸縮させる（高さを変える）ようになっている。少なくとも、一方の支持部材６３ａまたは６３ｂは、ネジ穴を複数有するか、または、上下に延びる長孔を有するものとされる。支持具６３の下端部には、自立可能なように、床支持部６４を設けても良い。なお、上記は図２、図３のものも同様である。
【００３１】
更に、図７、図８の場合、位置保持具６１は、柔軟な取込位置変更管２３の上部（上端部など）を上から吊るす吊具６６とされている。吊具６６は、ワイヤなどの索状部材としても良いし、ロッドなどの棒状部材としても良い。吊具６６は、例えば、雨水桝４の蓋部から吊るすようにしても良い。この場合、吊具６６は伸縮可能なものとすることができる（伸縮可能吊具）。吊具６６を索状部材とした場合、例えば、端部や中間部などに巻取器６７を備えることなどによって吊具６６を伸縮可能とすることができる。また、棒状部材とした場合、ターンバックルなどの長さ調整部を備えることなどによって吊具６６を伸縮可能とすることができる。
【００３２】
＜作用効果＞この実施例によれば、以下のような作用効果を得ることができる。
【００３３】
雨水桝４は、降雨時に枡本体５に集められた雨水を、下水用流出管７から下水管６へ送ったり、施設用流出管９から雨水浸透・貯留施設８へ送ったりできるようになっている。そして、雨水の量が枡本体５に対する下水用流出管７や施設用流出管９の接続高さＬ１，Ｌ２に達した時に、雨水を枡本体５から下水管６や雨水浸透・貯留施設８へ送るようになっている。この際、枡本体５に対する下水用流出管７と施設用流出管９との接続高さＬ１，Ｌ２を異ならせるようにしている。これにより、下水用流出管７の接続高さＬ１を施設用流出管９の接続高さＬ２よりも低くした場合には、雨水を先に下水管６へ排出し、その後、下水管６が処理しきれなくなる頃合に、雨水浸透・貯留施設８へ排出するようになる（ピークカット方式）。
反対に、下水用流出管７の接続高さＬ１を施設用流出管９の接続高さＬ２よりも高くした場合には、雨水を先に雨水浸透・貯留施設８へ排出し、その後、雨水浸透・貯留施設８が処理しきれなくなる頃合に、下水管６へ排出するようになる（ベースカット方式）。
そして、雨水桝４を設置する際に、地域ごとの降雨状況などに応じてどちらかの排水方式や雨水排水レベル２２を選択することで、雨水浸透・貯留施設８を適切に使用して、下水管６の負担が軽減されるように図られている。
【００３４】
近年、世界的な環境の変化などによって、設置時とは異なる降雨状況が発生するようなことが起きるようになっている。しかし、雨水桝４は一旦設置されると、上記した排水方式が固定されてしまうので、後から環境の変化に応じて排水方式を切り替えるようなことはできない。
【００３５】
（作用効果１−１）そこで、この実施例では、枡本体５の内部に取込位置変更管２３を設置した。そして、この取込位置変更管２３を用いることで、下水用流出管７または施設用流出管９の少なくとも一方の雨水排水レベル２２を変更する（高くする）ことができるようになる。これにより、雨水排水レベル２２を変更した下水用流出管７または施設用流出管９について雨水の流出タイミングを変更する（遅らせる）ことができる。
【００３６】
この際、取込位置変更管２３によって、下水用流出管７または施設用流出管９の一方の雨水排水レベル２２を他方の接続高さＬ１，Ｌ２よりも高くすることで、上記した排水方式や雨水排水レベル２２を簡単に変更することが可能となる。よって、雨水桝４の設置後であっても、環境の変化に応じて、最適な排水方式や雨水排水レベル２２となるように切替えることが可能となる。その結果、雨水浸透・貯留施設８の能力を最大限に活用して下水管６の負担を軽減することが可能となる。
【００３７】
（作用効果１−２）取込位置変更管２３に、伸縮部３１または屈伸部３２を設けた。これによって、取込位置変更管２３を伸縮部３１または屈伸部３２によって伸縮または屈伸させることで、取込位置変更管２３による下水用流出管７または施設用流出管９の雨水排水レベル２２を設定または調整することができる。よって、下水用流出管７から下水管６への雨水の流出タイミング、または、施設用流出管９から雨水浸透・貯留施設８への雨水の流出タイミングを任意に変えることができ、取込位置変更管２３を現場の状況に応じた使用が可能な利便性の良いものにすることができる。
【００３８】
（作用効果１−３）取込位置変更管２３が着脱部４１を備えた。これにより、取込位置変更管２３は、必要に応じて、下水用流出管７や施設用流出管９に装着して使用することができるようになり、必要がない時には、取外して初期状態に戻すことができるようになる。この際、着脱部４１はシール機能を有しているので、取込位置変更管２３と、下水用流出管７または施設用流出管９との間の止水性を確保することができ、取込位置変更管２３を安定して使用することが可能となる。また、取込位置変更管２３が着脱部４１を有することで、様々な雨水桝４に対して広く適用することができる。
【００３９】
（作用効果１−４）取込位置変更管２３に水平調整可能部５２を設けた。下水用流出管７や施設用流出管９は、それぞれ排水勾配を有しており、この排水勾配は、雨水桝４の設置状況や、雨水桝４と下水管６や雨水浸透・貯留施設８との位置関係などによって個別に異なっており、バラ付きが大きい。そこで、水平調整可能部５２を設けることにより、下水用流出管７や施設用流出管９に取付けられた取込位置変更管２３の雨水取込口５１の向きを水平調整可能部５２で調整して水平にすることができる。このように、雨水取込口５１の向きを水平にすることによって、取込位置変更管２３へ入る雨水の水位を正確に設定することが可能となる。また、設定した水位になった時に、一気に取込位置変更管２３へ流入させるようにすることができる。
【００４０】
（作用効果１−５）取込位置変更管２３に対する位置保持具６１を備えた。これによって、取込位置変更管２３を、枡本体５の内部で位置保持させることができる。そのため、枡本体５へ流入する雨水の勢いで取込位置変更管２３が動かされたり、外れたりするのを防止することができる。
【実施例２】
【００４１】
図９〜図１２は、この実施例を説明するためのものである。
＜構成＞以下、構成について説明する。
（２−１）この実施例の雨水桝用排水補助部材は、図９、図１０に示すように、雨水を集める枡本体５に、集めた雨水を、下水管６へ送る下水用流出管７と、雨水浸透・貯留施設８へ送る施設用流出管９と、をそれぞれ異なる接続高さＬ１，Ｌ２で接続した雨水桝４に対して設置可能で、
上記枡本体５の内部を、上記下水用流出管７側の貯水空間７１と施設用流出管９側の貯水空間７２とに仕切ると共に、
上記枡本体５から前記下水用流出管７および施設用流出管９への雨水の流出順を変更可能な堰部材７３を備えるようにしている。
【００４２】
ここで、雨水の流出順を変更するためには、堰部材７３は、下水用流出管７と施設用流出管９とのうちの接続高さＬ１，Ｌ２が高い方の上部よりも高い位置に雨水を堰き止められるようにする必要がある。堰部材７３は、どのようなものであっても良いが、この場合には、堰部材７３は、枡本体５の直径方向へ延びる平坦な壁状のものとされている。この直径方向へ延びる平坦な堰部材７３によって、貯水空間７１，７２は、同じ底面積に仕切られることになる。但し、堰部材７３を、枡本体５の直径方向以外の方向へ延びる平坦な壁状のものとしたり、または、曲線状や屈曲形状（または中折れ形状）のものなどとしたりすることによって、貯水空間７１，７２を、異なる底面積に仕切るようにしても良い。堰部材７３の下部や両側部などには、枡本体５に対して止水可能なシール部材などが設けられる。或いは、堰部材７３の設置後に、堰部材７３の下部や両側部などがシール材でシールされる。
【００４３】
（２−２）上記堰部材７３は、高さ調整可能なものとすることができる。
【００４４】
ここで、高さ調整可能な堰部材７３は、例えば、高さ調整可能な昇降壁部７５を備えたものとすることができる。昇降壁部７５の両側部には、枡本体５に対して止水可能なシール部材などが設けられる。或いは、堰部材７３の設置および昇降壁部７５の高さ調整後に、堰部材７３の下部や両側部などのシールと共に昇降壁部７５の両側部がシール材でシールされる。
【００４５】
この場合、堰部材７３の本体を二重壁構造にして、二重壁構造を有する堰部材７３の本体の間に、上記した昇降壁部７５を上方から挿入設置し、堰部材７３の上縁部から昇降壁部７５を所要量突出させ得るようにしている。堰部材７３に対する昇降壁部７５の高さ調整および固定は、堰部材７３と昇降壁部７５との間をボルト・ナットなどの締結固定部材７６で固定することなどによって行われる。そのために、堰部材７３と昇降壁部７５とには、締結固定部材７６によって締結するための取付孔が形成される。この場合、堰部材７３の取付孔は、１箇所または複数箇所設けられる。昇降壁部７５の取付孔は、堰部材７３の取付孔の位置に合わせて、上下方向に複数箇所設けられる。または、昇降壁部７５の取付孔は、上下方向へ延びる長孔などとしても良い。これら、昇降壁部７５、締結固定部材７６、取付孔などによって高さ調整機構が構成される。
【００４６】
（２−３）上記堰部材７３が、その上部に、枡本体５に流入される雨水の上記各貯水空間７１，７２に対する配分を調整する整流板８１を有するものとされる。
【００４７】
ここで、整流板８１は、どのようなものであっても良いが、この場合には、整流板８１は、一方の貯水空間７１，７２の上部を覆うことによって一方の貯水空間７１，７２への雨水の流入を規制する流入規制部材などとされている。また、この整流板８１は、一方の貯水空間７１，７２から他方の貯水空間７２，７１へ向けて雨水を案内する傾斜した傾斜案内板などとされている。この場合、整流板８１は、上記した昇降壁部７５の上部に一体に設けられている。
【００４８】
（２−４）上記堰部材７３が、自立可能に構成される。
【００４９】
ここで、自立可能な堰部材７３は、自立用支持部として、その下部に水平な支持脚部８５を一体的に備えたものとされている。
【００５０】
＜作用効果＞この実施例によれば、以下のような作用効果を得ることができる。
【００５１】
（作用効果２−１）枡本体５の内部を、堰部材７３によって、下水用流出管７側の貯水空間７１と施設用流出管９側の貯水空間７２とに仕切るようにした。これにより、下水用流出管７側の貯水空間７１と施設用流出管９側の貯水空間７２とに対して、それぞれ別個に雨水が貯水されることとなり、雨水の貯留量が早く下水用流出管７の接続高さＬ１または施設用流出管９の接続高さＬ２に達した側の貯水空間７１，７２から先に外部の下水管６または雨水浸透・貯留施設８へ雨水を流出させることができる。例えば、堰部材７３が枡本体５の直径方向へ延びる平坦な壁状のものとされた場合、各貯水空間７１，７２に対する雨水の配分は、図１１（平行配置）、図１２（傾斜配置）などに示すように、枡本体５への雨水流入口８６（例えば、側溝などの接続部）に対する堰部材７３の設置角度を設定・調整することによって変えることができる。
【００５２】
そして、実際の降雨状況や枡本体５への雨水の流入量が設計時の想定とは異なるものとなった場合であっても、枡本体５の内部に堰部材７３を設けて雨水の流出順（流出する順番）を変えることによって、排水方式を切り替えて使用することが可能となり、且つ、雨水浸透・貯留施設８の能力を最大限に活用することが可能となる。
【００５３】
なお、排水方式を切り替えるためには、枡本体５に対する下水用流出管７の接続高さＬ１または施設用流出管９の接続高さＬ２が高い側の貯水空間７１，７２（図９の場合には貯水空間７１の側、図１０の場合には貯水空間７２の側）に雨水を多く配分させるようにすれば良い。
【００５４】
（作用効果２−２）堰部材７３の高さを調整できるようにした。これにより、堰部材７３の高さによって、下水用流出管７側の貯水空間７１および施設用流出管９側の貯水空間７２の容量が変化されるので、先に満水になった（一方の）貯水空間７１，７２から他方の貯水空間７２，７１への雨水のオーバーフローのタイミングを変更することができる。その結果、一方の貯水空間７１，７２から外部の下水管６または雨水浸透・貯留施設８へ雨水が流出されてから、他方の貯水空間７２，７１から外部の下水管６または雨水浸透・貯留施設８へ雨水が流出されるまでのタイミングを調整することが可能となる。
【００５５】
具体的には、堰部材７３を低くすることにより、一方の貯水空間７１，７２から他方の貯水空間７２，７１への雨水のオーバーフローのタイミングを早くすることができる。反対に、堰部材７３を高くすることにより、一方の貯水空間７１，７２から他方の貯水空間７２，７１への雨水のオーバーフローのタイミングを遅くすることができる。
【００５６】
（作用効果２−３）堰部材７３に整流板８１を設けた。これにより、枡本体５に流入される雨水の各貯水空間７１，７２に対する配分を、整流板８１によって調整することが可能となる。その結果、各貯水空間７１，７２にそれぞれ下水用流出管７または施設用流出管９を介して接続された下水管６または雨水浸透・貯留施設８へ雨水を流出させるタイミングを調整または変更することができる。
【００５７】
具体的には、図９のように、下水用流出管７が施設用流出管９よりも枡本体５に対する接続高さＬ１が高くなっているベースカット方式の場合（Ｌ１＞Ｌ２）に、整流板８１によって、雨水の大部分が下水用流出管７側の貯水空間７１へ配分されるようにすることで、雨水を先に下水管６へ排出させるピークカット方式に切り替えることができるようになる。
【００５８】
反対に、図１０のように、施設用流出管９が下水用流出管７よりも枡本体５に対する接続高さＬ２が高くなっているピークカット方式の場合（Ｌ２＞Ｌ１）に、整流板８１によって、雨水の大部分が施設用流出管９側の貯水空間７２へ配分されるようにすることで、雨水を先に雨水浸透・貯留施設８へ排出させるベースカット方式に切り替えることができるようになる。
【００５９】
（作用効果２−４）堰部材７３を自立可能とした。これにより、枡本体５の内部に堰部材７３を自立した状態でセットし、コンクリートなどを用いて堰部材７３を枡本体５に固定するようなことが容易且つ確実にできるようになり、堰部材７３の固定のために別途支持部材などを用意する必要をなくすことができる。
【００６０】
そして、雨水を集める枡本体４に、集めた雨水を、下水管６へ送る下水用流出管７と、雨水浸透・貯留施設８へ送る施設用流出管９と、をそれぞれ異なる接続高さＬ１，Ｌ２で接続した雨水桝に対して、上記各実施例の雨水桝用排水補助部材（取込位置変更管２３や堰部材７３など）を設置することにより、上記したように排水方式や雨水排水レベルを切り替えることが可能となる。
【００６１】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６２】
４    雨水桝
５    枡本体
６    下水管
７    下水用流出管
８    雨水浸透・貯留施設
９    施設用流出管
２２  雨水排水レベル
２３  取込位置変更管
３１  伸縮部
３２  屈伸部
４１  着脱部
５２  水平調整可能部
６１  位置保持具
７１  貯水空間
７２  貯水空間
７３  堰部材
８１  整流板
Ｌ１  接続高さ
Ｌ２  接続高さ
【図１】
2016183545.tif 000003
【図２】
2016183545.tif 000004
【図３】
2016183545.tif 000005
【図４】
2016183545.tif 000006
【図５】
2016183545.tif 000007
【図６】
2016183545.tif 000008
【図７】
2016183545.tif 000009
【図８】
2016183545.tif 000010
【図９】
2016183545.tif 000011
【図１０】
2016183545.tif 000012
【図１１】
2016183545.tif 000013
【図１２】
2016183545.tif 000014